(57)【要約】【課題】電波状態の良い子機と、電波状態の悪い子機とが共に同程度に親機と無線ＬＡＮによるデータ通信を行える無線ＬＡＮ通信システムを提供する。【解決手段】子機８は、通信データ保管手段１０と、子機優先度記憶手段１１と、親機７に通信要求信号を発信し、親機７から通信許可信号を受信すると通信データを送信する子機通信制御手段１２と、を備え、親機７は、親機優先度記憶手段１３と、複数の子機８ａ，ｂの優先度を比較して優先順位を決定する優先順位決定手段１４と、１つの子機８ｂがデータ通信中に他の子機８ａから通信要求信号を受信した場合には、優先順位が高い子機８ａの子機通信制御手段１２に通信許可信号を発信し、優先順位が低い子機８ｂの子機通信制御手段に通信不許可信号又は通信中断信号を送信する親機通信制御手段１５と、を備える。【選択図】図１
2010278810.tif 000002
【特許請求の範囲】
【請求項１】
親局として特定された建物に無線ＬＡＮの親機を設置してブロードバンド回線を介して情報センタと接続し、親局の周囲の複数の建物に無線ＬＡＮの子局として子機を設置し、親局と情報センタとを接続するブロードバンド回線を複数の子局で共有して遠隔監視を行う無線ＬＡＮ通信システムであって、
子局の子機は、
親機に送信する通信データを保管する通信データ保管手段と、
その子機の子機番号と、その子機に設定された優先度とを記憶する優先度記憶手段と、
親機に対して優先度を含む通信要求信号を発信し、親機から通信許可信号を受信すると保管された通信データを親機に送信する通信制御手段と、を備え、
親局の親機は、
子機から送信された優先度を子機番号に関連づけて記憶する優先度記憶手段と、
複数の子機から通信要求信号を受信した場合には、各子機から送信された優先度を比較して優先順位を決定する優先順位決定手段と、
子機からの通信要求信号を受信し、子機に対して通信許可信号、通信不許可信号、又は通信中断信号のいずれかを送信する通信制御手段と、を備え、
親機の通信制御手段は、１つの子機がデータ通信中に他の子機から通信要求信号を受信した場合には、決定された優先順位が高い子機の通信制御手段に通信許可信号を発信し、優先順位が低い子機の通信制御手段に通信不許可信号又は通信中断信号を送信することを特徴とする無線ＬＡＮ通信システム。
【請求項２】
請求項１に記載の無線ＬＡＮ通信システムであって、親機は、各子局と親局との通信距離が長い順に高い優先度を各子機に設定する優先度設定手段を備え、各子機の優先度記憶手段は、優先度設定手段が設定した優先度を記憶することを特徴とする無線ＬＡＮ通信システム。
【請求項３】
請求項１又は２に記載の無線ＬＡＮ通信システムであって、子機は、通信データ保管手段に保管された通信データの緊急度に応じて優先度を判断し、その子機に設定された優先度よりも高い場合には、子機の通信制御手段に対し、その通信データに限り優先度を変更して通信要求信号を発信させる優先度判断手段を備えることを特徴とする無線ＬＡＮ通信システム。
【請求項４】
請求項１乃至３のいずれか１に記載の無線ＬＡＮ通信システムであって、親機は、子局と親局との通信距離が同程度の場合には、それらの子機の優先度をランダムに初期設定し、所定の期間経過後に各子機の優先度を再度ランダムに変更するランダム優先度設定手段を備え、各子機の優先度記憶手段は、初期設定された優先度を記憶し、優先度が変更されると更新することを特徴とする無線ＬＡＮ通信システム。
【請求項５】
請求項１乃至４のいずれか１に記載の無線ＬＡＮ通信システムであって、子機の通信制御手段は、親機の通信制御手段から通信中断信号を受信すると、通信データの送信を中断し、未送信の通信データを通信データ保管手段に再度保管させることを特徴とする無線ＬＡＮ通信システム。
【請求項６】
請求項１乃至５のいずれか１に記載の無線ＬＡＮ通信システムであって、子機の通信制御手段は、親機から通信不許可信号を受信すると、所定の時間が経過した後に、親機に対して再度優先度を含む通信要求信号を発信することを特徴とする無線ＬＡＮ通信システム。
【請求項７】
請求項１乃至６のいずれか１に記載の無線ＬＡＮ通信システムであって、子機の通信制御手段は、データ通信が終了すると、親機の通信制御手段に対して通信終了信号を送信することを特徴とする無線ＬＡＮ通信システム。
【請求項８】
請求項１乃至７のいずれか１に記載の無線ＬＡＮ通信システムであって、親機に送信する通信データには、建物内のビデオカメラやモニタが撮影した映像データが含まれることを特徴とする無線ＬＡＮ通信システム。
【請求項９】
請求項３乃至８のいずれか１に記載の無線ＬＡＮ通信システムであって、子機は、通信データ保管手段に保管された通信データが、室内又は昇降機のかご内に閉じ込められた乗客の音声又は映像である場合には、最高の緊急度に設定することを特徴とする無線ＬＡＮ通信システム。
【発明の詳細な説明】
【技術分野】
【０００１】
本発明は、無線ＬＡＮ通信システムに係り、特に、親局として特定された建物に無線ＬＡＮの親機を設置してブロードバンド回線を介して情報センタと接続し、親局の周囲の複数の建物に無線ＬＡＮの子局として子機を設置し、親局と情報センタとを接続するブロードバンド回線を複数の子局で共有し、親局と子局とがネットワークを形成して遠隔監視を行う無線ＬＡＮ通信システムに関する。
【背景技術】
【０００２】
図５に、親局と子局とがネットワークを形成して遠隔監視を行う無線ＬＡＮ通信システムを示す。無線ＬＡＮの親機１０７が設置された特定の建物である親局１０２は、例えば電話回線などの有線通信回線１０５を介して情報センタ１０４と接続されている。親局１０２の周囲の無線ＬＡＮの子機１０８ａ，１０８ｂ，１０８ｃが設置された複数の子局１０３ａ，１０３ｂ，１０３ｃは、親局１０２と無線通信回線１０６ａ，１０６ｂ，１０６ｃにより接続されている。この構成により、親機１０７と情報センタ１０４の通信制御装置１０９とのブロードバンド回線１０５を複数の子局１０３ａ，１０３ｂ，１０３ｃで共有して遠隔監視を行う無線ＬＡＮ通信システム１００が構築される。
【０００３】
この無線ＬＡＮ通信システム１００は、例えば、建物の設備管理業務に用いられる。そして、例えば、エレベータ内のビデオカメラが撮影した映像などの大量の画像データを各建物から情報センタ１０４に送信する。また、例えば、建物内の設備機器であるエレベータ、エスカレータ、給排水設備、空調設備などの稼働状況や異常情報などを各建物の子機１０８から情報センタ１０４に送信する。
【０００４】
図６に、子局１０３ａ，１０３ｂから親局１０２へのデータ通信を時系列で示す。図６に示すように、子局１０３ｂは、子局１０３ａよりも親局１０２に近接し通信距離が短い。例えば、時刻ｔ1に子局１０３ａから親局１０２にデータＡの送信が開始されている場合、時刻ｔ2に子局１０３ｂから親局１０２にデータＢが無線通信回線１０６ｂにより送信されるとする。このとき、子局１０３ａから親局１０２への送信が子局１０３ｂからの送信によりバケット損出する、いわゆるＩＰパケット落ちといわれる通信不具合が発生する場合がある。
【０００５】
これは、無線通信において全ての子局１０３ａ，１０３ｂ，１０３の子機１０８ａ，１０８ｂ，１０８ｃが、親局１０２からの通信距離に関わらず同一周波数の搬送波を使用すると、親局１０２により近い子局１０３ｂからの電波が強すぎて、親局１０２からより遠い子局１０３ａからの信号が親局１０２の親機１０７に認識されないという「遠近問題」が発生するからである。
【０００６】
これに対し、ＷＣＤＭＡ方式に代表される携帯電話の基地局には、送信電力を制御する機能を有する適応送信電力制御により、基地局の近傍の携帯電話の送電能力を弱くし、基地局より遠方の携帯電話の送電能力を強くすることでこの「遠近問題」を処理している。
【先行技術文献】
【特許文献】
【０００７】
【特許文献１】特開２００５−２９４９４３号公報
【発明の概要】
【発明が解決しようとする課題】
【０００８】
このように、無線ＬＡＮの親機が設置された建物の遠方に設置された電波状態の悪い無線ＬＡＮの子機Ａと、無線ＬＡＮの親機が設置された建物の近傍に設置された電波状態の良い無線ＬＡＮの子機Ｂがそれぞれデータ通信をしようとしても、電波状態の悪い子機Ａの通信データは通信不具合が発生する場合がある。また、電波状態の良い子機Ｂが無線ＬＡＮの親機に対してデータ通信を行っている場合に、電波状態の悪い子機Ａが、無線ＬＡＮの親機に対してデータ通信を行なっても親機との通信に不具合が発生する場合がある。
【０００９】
また、市販されている屋外無線ＬＡＮ機器には、上述した送信電力を制御する機能は装備されていないのが一般的である。市販の屋外無線ＬＡＮ機器は、総務省から適技マークを受けて販売されたものであり、適応送信電力制御を後付けで付加すると、無許可の製品となる虞がある。従って、市販の屋外無線ＬＡＮ機器を使用する場合には送信電力を制御することで「遠近問題」を解決することはできない。
【００１０】
本願の目的は、かかる課題を解決し、電波状態の良い子機と、電波状態の悪い子機とが共に同程度に親機と無線ＬＡＮによるデータ通信を行える無線ＬＡＮ通信システムを提供することである。
【課題を解決するための手段】
【００１１】
上記目的を達成するため、本発明に係る無線ＬＡＮ通信システムは、親局として特定された建物に無線ＬＡＮの親機を設置してブロードバンド回線を介して情報センタと接続し、親局の周囲の複数の建物に無線ＬＡＮの子局として子機を設置し、親局と情報センタとを接続するブロードバンド回線を複数の子局で共有して遠隔監視を行う無線ＬＡＮ通信システムであって、子局の子機は、親機に送信する通信データを保管する通信データ保管手段と、その子機の子機番号と、その子機に設定された優先度とを記憶する優先度記憶手段と、親機に対して優先度を含む通信要求信号を発信し、親機から通信許可信号を受信すると保管された通信データを親機に送信する通信制御手段と、を備え、親局の親機は、子機から送信された優先度を子機番号に関連づけて記憶する優先度記憶手段と、複数の子機から通信要求信号を受信した場合には、各子機から送信された優先度を比較して優先順位を決定する優先順位決定手段と、子機からの通信要求信号を受信し、子機に対して通信許可信号、通信不許可信号、又は通信中断信号のいずれかを送信する通信制御手段と、を備え、親機の通信制御手段は、１つの子機がデータ通信中に他の子機から通信要求信号を受信した場合には、決定された優先順位が高い子機の通信制御手段に通信許可信号を発信し、優先順位が低い子機の通信制御手段に通信不許可信号又は通信中断信号を送信することを特徴とする。
【００１２】
上記構成により、無線ＬＡＮ通信システムは、各子機に優先度を設定し、複数の子機の通信制御手段から通信要求信号が発信された場合でも優先度の高い子機が優先的に通信データを送信できる。また、優先度の低い子機が通信データを送信中であっても、より優先度の高い子機に切り換えられて優先的に通信データを送信できる。これにより、電波状態の良い子機と電波状態の悪い子機とは、優先度を設定することで共に同程度に親機と無線ＬＡＮによるデータ通信を行うことができる。
【００１３】
また、無線ＬＡＮ通信システムは、親機が、各子局と親局との通信距離が長い順に高い優先度を各子機に設定する優先度設定手段を備え、各子機の優先度記憶手段は、優先度設定手段が設定した優先度を記憶することが好ましい。これにより、親機からの通信距離によるいわゆるＩＰパケット落ちといわれる通信不具合が発生するのを防ぐことができる。
【００１４】
また、無線ＬＡＮ通信システムは、子機が、通信データ保管手段に保管された通信データの緊急度に応じて優先度を判断し、その子機に設定された優先度よりも高い場合には、子機の通信制御手段に対し、その通信データに限り優先度を変更して通信要求信号を発信させる優先度判断手段を備えることが好ましい。これにより、緊急度の高い通信データを送信する場合には、設定された優先度に関わらず優先度を変更して送信できる。
【００１５】
また、無線ＬＡＮ通信システムは、親機が、子局と親局との通信距離が同程度の場合には、それらの子機の優先度をランダムに初期設定し、所定の期間経過後に各子機の優先度を再度ランダムに変更するランダム優先度設定手段を備え、各子機の優先度記憶手段が、初期設定された優先度を記憶し、優先度が変更されると更新することが好ましい。これにより、子局と親局との通信距離が同程度の場合であっても、優先度をランダムに設定し、所定の期間経過後に更新することでより公平に優先度を設定できる。
【００１６】
また、無線ＬＡＮ通信システムは、子機の通信制御手段が、親機の通信制御手段から通信中断信号を受信すると、通信データの送信を中断し、未送信の通信データを通信データ保管手段に再度保管させることが好ましい。これにより、通信データの送信が中断されても未送信の通信データを問題なく再度送信することができる。
【００１７】
また、無線ＬＡＮ通信システムは、子機の通信制御手段が、親機から通信不許可信号を受信すると、所定の時間が経過した後に、親機に対して再度優先度を含む通信要求信号を発信することが好ましい。これにより、子機は通信不許可信号を受信しても再度送信の機会を得ることができる。
【００１８】
また、無線ＬＡＮ通信システムは、子機の通信制御手段が、データ通信が終了すると、親機の通信制御手段に対して通信終了信号を送信することが好ましい。これにより、親機の通信制御手段は、他の子機からの新たな通信要求信号に備えることができる。
【００１９】
また、無線ＬＡＮ通信システムは、親機に送信する通信データには、建物内のビデオカメラやモニタが撮影した映像データが含まれることが好ましい。これにより、子機はデータ量の大きい映像データを効率よく親機に送信できる。
【００２０】
さらに、無線ＬＡＮ通信システムは，子機が、通信データ保管手段に保管された通信データが、室内又は昇降機のかご内に閉じ込められた乗客の音声又は映像である場合には、最高の緊急度に設定することが好ましい。これにより、災害時などの緊急時には、予め設定された優先度によらず最高の優先度に設定できる。
【発明の効果】
【００２１】
以上のように、本発明に係る無線ＬＡＮ通信システムによれば、電波状態の良い子機と、電波状態の悪い子機とが共に同程度に親機と無線ＬＡＮによるデータ通信を行える無線ＬＡＮ通信システムを提供することができる。
【図面の簡単な説明】
【００２２】
【図１】本発明に係る無線ＬＡＮ通信システムの１つの実施形態の概略構成を示すブロック図である。
【図２】親局と子局とがネットワークを形成して遠隔監視を行う無線ＬＡＮ通信システムを示す説明図である。
【図３】子局から親局へのデータ通信の１つの例を時系列で示す説明図である。
【図４】子局から親局へのデータ通信の他の例を時系列で示す説明図である。
【図５】親局と子局とがネットワークを形成して遠隔監視を行う従来の無線ＬＡＮ通信システムを示す説明図である。
【図６】従来の子局から親局へのデータ通信を時系列で示す説明図である。
【発明を実施するための形態】
【００２３】
以下に、図面を用いて本発明に係る無線ＬＡＮ通信システムの実施形態につき、詳細に説明する。
【００２４】
図１に、発明に係る無線ＬＡＮ通信システムの１つの実施形態の概略構成を示す。また、図２に、親局と子局とがネットワークを形成して遠隔監視を行う無線ＬＡＮ通信システムを示す。無線ＬＡＮ通信システム１は、親局２として特定された建物に無線ＬＡＮの親機７を設置してブロードバンド回線５を介して情報センタ４の通信制御装置９と接続する。また、親局２の周囲の複数の建物に無線ＬＡＮの子局３ａ，３ｂ，３ｃとして子機８ａ，８ｂ，８ｃを設置する。これらの親機７と子機８ａ，８ｂ，８ｃとは無線通信回線６を介して接続される。そして、親局２と情報センタ４とを接続するブロードバンド回線５を複数の子局３ａ，３ｂ，３ｃで共有して遠隔監視を行う。
【００２５】
子局３ａの子機８ａは、通信データ保管手段１０、子機優先度記憶手段１１、子機通信制御手段１２、及び優先度判断手段１７から構成される。この子機８ａは、建物内に設けられた遠隔設備監視装置２１を介して建物内の設備機器２３、ビデオカメラ１９或いはモニタ２０と接続される。本実施形態では、子機８は、３個の子機８ａ，８ｂ，８ｃの場合を例として説明するが、この子機８の個数はこれに限らない。なお、子機８ｂ及び子機８ｃについても子機８ａと同様な構成であるため、その記載を省略する。
【００２６】
また、親局２の親機７は、親機優先度記憶手段１３、優先順位決定手段１４、親機通信制御手段１５、優先度設定手段１６、及びランダム優先度設定手段１８から構成される。親機７の親機通信制御手段１５は、ブロードバンド回線５を介して情報センタ４の通信制御装置９と接続され、通信データが情報センタ４に送信される。
【００２７】
子機８の通信データ保管手段１０は、親機７に送信する通信データを保管する。この通信データは、遠隔設備監視装置２１を介して収集される建物内の設備機器２３に関するデータであり、建物内のビデオカメラ１９やモニタ２０が撮影した映像データが含まれる。子機優先度記憶手段１１は、その子機８に設定された子機番号と、子機８に設定された、後述する優先度とを記憶する。そして、子機通信制御手段１２は、親機７に送信する通信データが発生すると、子機優先度記憶手段１１に記憶された優先度と子機番号を付加した通信要求信号を親機７に無線通信回線６を介して発信する。また、子機通信制御手段１２は、親機７から通信許可信号を、無線通信回線６を介して受信すると、保管された通信データを親機７に送信する。
【００２８】
親機優先度記憶手段１３は、子機８ａ，８ｂ，８ｃから送信された通信要求信号に付加された優先度と子機番号とをそれぞれ関連づけて記憶する。優先順位決定手段１４は、複数の子機８ａ，８ｂ，８ｃから通信要求信号を受信した場合には、各子機８ａ，８ｂ，８ｃから送信された優先度を比較して優先順位を決定する。この優先度は、優先度設定手段１６により各子局３ａ，３ｂ，３ｃと親局２との通信距離が長い順に高い優先度が各子機８ａ，８ｂ，８ｃに設定される。例えば、図２に示されるネットワークでは、子機８ａと親局２との通信距離（Ｌａ）が最も長いことから子機８ａに第１位の優先度が与えられ、次に通信距離（Ｌｃ）が長い遠方の子機８ｃに第２位の優先度が与えられ、最も親機７に近接して通信距離（Ｌｂ）の短い子機８ｂには第３位の優先度が与えられる。そして、各子機８ａ，８ｂ，８ｃの子機優先度記憶手段１１は、優先度設定手段１６が設定した優先度を記憶する。
【００２９】
図３に、子局３ａ，３ｂから親局２へのデータ通信の１つの例を時系列で示す。親機通信制御手段１５は、子機８ａ，８ｂ，８ｃからの通信要求信号を受信し、子機８ａ，８ｂ，８ｃに対して通信許可信号、通信不許可信号、又は通信中断信号のいずれかを送信する。親機通信制御手段１５は、１つの子機８ａからの通信データを受信中に、他の子機８ｂの子機通信制御手段１２から通信要求信号を受信した場合には、優先順位決定手段１４が決定した優先順位が高い子機８の子機通信制御手段１２に通信許可信号を発信し、優先順位が低い子機８の子機通信制御手段１２に通信不許可信号又は通信中断信号を送信する。
【００３０】
すなわち、図３に示すように、子局３ｂの子機８ｂから親局２の親機７に時刻ｔ1に通信要求信号が発信され、親機７から子機８ｂに対して通信許可信号が送信される。この通信許可信号により、子機８ｂからデータＢが送信される。子機８ｂからのデータＢの送信中に、子局３ａの子機８ａからｔ2時刻に親局２の親機７に対して通信要求信号が発信される。この場合、親機通信制御手段１５は、親機７の優先順位決定手段１４が決定した順位、すなわち、子機８ｂに対する第３位の優先度と、子機８ａに対する第１位の優先度に従う。つまり、子機８ｂに対しては、ｔ3時刻に通信中断信号を発信し、子機８ａに対しては、同時刻に通信許可信号を発信する。子機８ｂの子機通信制御手段１２は、親機通信制御手段１５から通信中断信号を受信すると、通信データの送信を中断し、未送信の通信データを通信データ保管手段１０に再度保管させる。
【００３１】
また、子機８ｂの子機通信制御手段１２は、親機通信制御手段１５から通信中断信号を受信すると、所定の時間が経過したｔ5時刻に、親機７に対して再度優先度を含む通信要求信号を発信する。一方、子機８ａの子機通信制御手段１２は、親機通信制御手段１５から通信許可信号を受信すると、ｔ4時刻に通信データＡの送信を開始する。子機８ａの子機通信制御手段１２は、通信データの発信が終了すると、親機通信制御手段１５に対して通信終了信号を送信する。子機８ａのデータ通信が終了している場合には、親機通信制御手段１５は、子機８ｂに対して通信許可信号を送信する。この場合、親機通信制御手段１５は、子機８ｂからの通信要求信号を待たずに、子機８ａの通信終了信号により中断中の子機８ｂに対して通信許可信号を送信しても良い。
【００３２】
また、図４に、子局３ａ，３ｂから親局２へのデータ通信の他の例を時系列で示す。子局３ａの子機８ａから親局２の親機７に時刻ｔ1に通信要求信号が発信され、親機７から子機８ａに対して通信許可信号が送信される。この通信許可信号により、子機８ａからデータＡが送信される。子機８ａからのデータＡの送信中に、子局３ｂの子機８ｂからｔ2時刻に親局２の親機７に対して通信要求信号が発信される。この場合、親機通信制御手段１５は、親機７の優先順位決定手段１４が決定した順位、すなわち、子機８ｂに対する第３位の優先度と、子機８ａに対する第１位の優先度に従う。つまり、子機８ｂに対しては、ｔ3時刻に通信不許可信号を発信し、子機８ａに対しては、そのままデータ通信を継続させる。
【００３３】
また、子機８ｂの子機通信制御手段１２は、親機通信制御手段１５から通信不許可信号を受信すると、所定の時間が経過したｔ5時刻に、親機７に対して再度優先度を含む通信要求信号を発信する。一方、子機８ａの子機通信制御手段１２は、通信データの発信が終了すると、親機通信制御手段１５に対して通信終了信号を送信する。子機８ａのデータ通信が終了している場合には、親機通信制御手段１５は、子機８ｂに対して通信許可信号を送信する。この場合、親機通信制御手段１５は、子機８ｂからの通信要求信号を待たずに、子機８ａの通信終了信号により待機中の子機８ｂに対して通信許可信号を送信しても良い。
【００３４】
親機７のランダム優先度設定手段１８は、複数の子局３と親局２との通信距離が同程度の場合には、それらの子機８の優先度をランダムに初期設定し、所定の期間経過後に各子機８の優先度を再度ランダムに変更する。そして、各子機８の子機優先度記憶手段１１は、初期設定された優先度を記憶し、優先度が変更されると更新する。例えば、図２の子機８ａの通信距離（Ｌａ）と子機８ｃの通信距離（Ｌｃ）とがほぼ同じ程度とみなせる場合には、ランダム優先度設定手段１８は、子機８ａと子機８ｃとの優先度を通信距離に関係なくランダムに初期設定し、例えば、子機８ａに第２位の優先度を与え、子機８ｃに第１位の優先度を与える。そして、例えば、１週間或いは１ヶ月などの所定の期間経過後に各子機８ａ，８ｃの優先度を再度ランダムに変更する。これにより、長期的には各子機８ａ，８ｃの優先度が公平に与えられる。
【００３５】
子機８の優先度判断手段１７は、通信データ保管手段１０に保管された通信データの緊急度に応じて優先度を判断し、その子機８に設定された優先度よりも高い場合には、子機通信制御手段１２に対し、その通信データに限り優先度を変更させて通信要求信号を発信させる。例えば、通信データが、室内又は昇降機のかご内に閉じ込められた乗客の音声又は映像である場合には最高の緊急度とすべきであり、予め設定された優先度では対応が遅くなってしまう場合がある。この場合、図３及び図４の何れの場合でも、優先順位決定手段１４は、より高く変更された優先度に従って、緊急度の高いデータ通信を要求する子機８に対して通信許可信号を発信する。そして、通信中の子機８に対して図３に示すように通信中断信号を発信する。
【符号の説明】
【００３６】
１，１００  無線ＬＡＮ通信システム、２，１０２  親局、３ａ，３ｂ，３ｃ，１０３ａ，１０３ｂ，１０３ｃ  子局、４，１０４  情報センタ、５，１０５  有線通信回線（ブロードバンド回線）、６，１０６ａ，ｂ  無線通信回線、７，１０７  親機、８，１０８  子機、９，１０９  通信制御装置、１０  通信データ保管手段、１１  子機優先度記憶手段、１２  子機通信制御手段、１３  親機優先度記憶手段、１４  優先順位決定手段、１５  親機通信制御手段、１６  優先度設定手段、１７  優先度判断手段、１８  ランダム優先度設定手段、１９  ビデオカメラ、２０  モニタ、２１  遠隔設備監視装置、２３  設備機器。
【図１】
2010278810.tif 000003
【図２】
2010278810.tif 000004
【図３】
2010278810.tif 000005
【図４】
2010278810.tif 000006
【図５】
2010278810.tif 000007
【図６】
2010278810.tif 000008